(57)【要約】【課題】第１のシート部と第２のシート部とが貼着された状態から、切り離し線を用いて開封される隠蔽シートにおいて、切り離し線によって開封しにくくなってしまうことを回避するとともに、第１のシート部と第２のシート部とを貼着するための貼着層を構成する粘着剤が、貼着層が積層されない面に流れ出てしまうことを回避する。【解決手段】はがき本体部１０と隠蔽片部２０とを、はがき本体部１０のミシン線１２と折り部４０との間の領域が隠蔽片部２０に剥離可能に貼着され、また、はがき本体部１０の折り部４０とは反対側の辺とミシン線１２との間の領域が隠蔽片部２０に剥離困難に貼着されるように貼着するための弱粘着層５０及び強粘着層６０がいずれも、ミシン線１２とは異なる隠蔽片部２０に積層されている。【選択図】図１
2015116765.tif 000002
【特許請求の範囲】
【請求項１】
一方の面に情報記入領域が設けられた第１のシート部と、
折り部を介して前記第１のシート部に折り畳み可能に連接した第２のシート部とを有し、
前記第１のシート部は、前記折り部とは反対側の辺に沿って切り離し線が形成され、
前記第２のシート部は、前記一方の面が内側となるように前記折り部を中心として折り畳まれた場合に前記情報記入領域に対向する面のうち、前記折り部を中心として折り畳まれた場合に前記切り離し線に対向する領域と前記折り部との間の領域に、貼着後の剥離及び剥離後の再貼着が可能な第１の貼着層が積層されるとともに、前記切り離し線に対向する領域と前記折り部とは反対側の辺との間の領域に、貼着後の剥離が困難な第２の貼着層が積層され、
前記第１及び第２の貼着層によって前記第２のシート部に剥離シートが剥離可能に貼着されている隠蔽シート。
【請求項２】
請求項１に記載の隠蔽シートにおいて、
前記切り離し線は、互いに並行した２つの切り離し列からなる隠蔽シート。
【請求項３】
請求項２に記載の隠蔽シートにおいて、
前記第２のシート部は、前記一方の面が内側となるように前記折り部を中心として折り畳まれた場合に前記情報記入領域に対向する面のうち、前記折り部を中心として折り畳まれた場合に前記２つの切り離し列間に対向する領域に、前記第１の貼着層よりも弱い剥離力で剥離可能な第３の貼着層が積層されている隠蔽シート。
【発明の詳細な説明】
【技術分野】
【０００１】
本発明は、情報記入領域に記入された情報を隠蔽可能な隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。
【０００３】
このようなものとして、はがき本体と隠蔽片とが折り畳み可能に連接し、隠蔽片上に剥離紙が剥離可能に貼着された隠蔽はがきが、例えば特許文献１に開示されている。
【０００４】
特許文献１に開示された隠蔽はがきは、情報記入領域が設けられたはがき紙片と、情報記入領域に記入された情報を隠蔽するための隠蔽紙片とが折り部を介して折り畳み可能に連接した構成において、隠蔽紙片の折り部とは反対側の辺部に沿ってミシン目が形成され、隠蔽紙片の折り畳み状態内側となる面のうち、折り部とミシン目との間の領域に、剥離可能に接着される弱粘着剤層が積層されるとともに、折り部と反対側の辺とミシン目との間に、剥離不能に接着される強粘着剤層が積層され、弱粘着剤層と強粘着剤層とを覆って剥離紙が剥離可能に貼着されている。
【０００５】
このように構成された隠蔽はがきは、情報記入領域に情報が記入された後、剥離紙が剥離されてはがき紙片と隠蔽紙片とが折り部を中心として折り畳まれ、情報記入領域上に隠蔽紙片が貼着されることにより、情報記入領域に記入された情報が隠蔽されることになる。その後、ミシン目を破断することにより、隠蔽紙片の折り部と反対側の辺とミシン目との間の領域をはがき紙片に貼着したまま、隠蔽紙片の折り部とミシン目との間の領域をはがき紙片から剥離し、それにより、情報記入領域に記入された情報を視認可能としている。
【０００６】
また、情報記入領域が設けられた情報記入片と、情報記入領域に記入された情報を隠蔽するための隠蔽片とが折り部を介して折り畳み可能に連接した構成において、隠蔽片の折り部とは反対側の辺部に沿ってミシン目が形成され、隠蔽片の折り畳み状態内側となる面のうち、折り部とミシン目との間の領域に、剥離可能に接着される剥離粘着層が積層されるとともに、情報記入片の折り畳み状態内側となる面のうち、折り部とは反対側の辺とミシン目に対向する領域との間の領域に強接着部が設けられた隠蔽ラベルシートが、特許文献２に開示されている。
【０００７】
特許文献２に開示された隠蔽ラベルシートは、情報記入領域に情報が記入された後、情報記入片と隠蔽片とが折り部を中心として折り畳まれ、情報記入領域上に隠蔽片が貼着されることにより、情報記入領域に記入された情報が隠蔽されることになる。その後、ミシン目を破断することにより、隠蔽片の折り部と反対側の辺とミシン目との間の領域を情報記入片に貼着したまま、隠蔽片の折り部とミシン目との間の領域を情報記入片から剥離することにより、情報記入領域に記入された情報を視認可能としている。
【先行技術文献】
【特許文献】
【０００８】
【特許文献１】特許第４４０２４８５号公報
【特許文献２】特許第４９３５８０３号公報
【発明の概要】
【発明が解決しようとする課題】
【０００９】
しかしながら、特許文献１，２に開示された構成においては、ミシン目が形成された紙片上に粘着層が積層されているため、ミシン目を形成する領域と粘着層を積層する領域との位置合わせの精度が悪かったり、これらの領域の位置がずれたりした場合、粘着層を積層する際に、粘着層を構成する粘着剤がミシン目のカット部に入り込む虞れがある。粘着剤がミシン目のカット部に入り込んだ場合、その後、ミシン目が破断しにくくなったり、粘着剤がカット部を介して紙片の反対側の面に流れ出し、本来粘着剤が存在しないはずの面がべたついたりしてしまうという問題点がある。
【００１０】
本発明は、上述したような従来の技術が有する問題点に鑑みてなされたものであって、情報記入領域が設けられた第１のシート部と、情報記入領域に記入された情報を隠蔽するための第２のシート部とが折り畳み可能に連接し、第１のシート部と第２のシート部とが貼着された状態から、切り離し線を用いて開封される隠蔽シートにおいて、切り離し線によって開封しにくくなってしまうことを回避できるとともに、第１のシート部と第２のシート部とを貼着するための貼着層を構成する粘着剤が、貼着層が積層されない面に流れ出てしまうことを回避できる隠蔽シートを提供することを目的とする。
【課題を解決するための手段】
【００１１】
上記目的を達成するために本発明は、
一方の面に情報記入領域が設けられた第１のシート部と、
折り部を介して前記第１のシート部に折り畳み可能に連接した第２のシート部とを有し、
前記第１のシート部は、前記折り部とは反対側の辺に沿って切り離し線が形成され、
前記第２のシート部は、前記一方の面が内側となるように前記折り部を中心として折り畳まれた場合に前記情報記入領域に対向する面のうち、前記折り部を中心として折り畳まれた場合に前記切り離し線に対向する領域と前記折り部との間の領域に、貼着後の剥離及び剥離後の再貼着が可能な第１の貼着層が積層されるとともに、前記切り離し線に対向する領域と前記折り部とは反対側の辺との間の領域に、貼着後の剥離が困難な第２の貼着層が積層され、
前記第１及び第２の貼着層によって前記第２のシート部に剥離シートが剥離可能に貼着されている。
【００１２】
上記のように構成された本発明においては、情報記入領域に情報が記入された後、第２のシートから剥離シートが剥離されて第１のシート部と第２のシート部とが、情報記入領域が設けられた面が内側となるように折り部を中心として折り畳まれ、第１及び第２の貼着層によって第１のシート部と第２のシート部とが貼着される。これにより、情報記入領域が第２のシート部によって覆われ、情報記入領域に記入された情報が隠蔽されることになる。その後、隠蔽シートが開封される際は、第１のシート部に形成された切り離し線が破断されることによって、第１のシート部が、切り離し線を境界として２つの領域に切り離される。第１のシート部のうち、切り離し線と折り部との間の領域は、貼着後の剥離が可能な第１の貼着層によって第２のシート部と剥離可能に貼着されているため、第２のシート部から剥離され、また、折り部とは反対側の辺と切り離し線との間の領域は、貼着後の剥離が困難な第２の貼着層によって第２のシート部を剥離困難に貼着されているため、第２のシート部に貼着されたままの状態となる。このように、第１のシート部の、切り離し線と折り部との間の領域が第２のシート部から剥離されることによって隠蔽シートが開封され、情報記入領域に記入された情報が視認されることになる。ここで、上記のような方法によって開封されるために、第１のシート部のうち、切り離し線と折り部との間の領域が、貼着後の剥離が可能な第１の貼着層によって第２のシート部と剥離可能に貼着され、また、折り部とは反対側の辺と切り離し線との間の領域が、貼着後の剥離が困難な第２の貼着層によって第２のシート部と剥離困難に貼着されることになるが、第１のシート部と第２のシート部とをこのように貼着するための第１及び第２の貼着層がいずれも、切り離し線とは異なる第２のシート部に積層されているので、第１の貼着層や第２の貼着層を積層する際に、これらを構成する粘着剤が切り離し線に入り込んで、その後に切り離し線が破断しにくくなったり、本来粘着剤が存在しないはずの面に粘着剤が切り離し線を介して流れ出てしまったりすることが回避される。
【００１３】
また、切り離し線として、互いに並行した２つの切り離し列からなるものを用いた場合は、隠蔽シートが開封される際は、２つの切り離し列がそれぞれ破断され、２つの切り離し列間の領域が第１のシート部から分離することで、第１のシート部が、切り離し線を境界として２つの領域に切り離されることになる。
【００１４】
また、切り離し線として、互いに並行した２つの切り離し列からなるものを用いた場合に、第２のシート部の、情報記入領域が設けられた面が内側となるように折り部を中心として折り畳まれた場合に情報記入領域に対向する面のうち、折り部を中心として折り畳まれた場合に２つの切り離し列間に対向する領域に、第１の貼着層よりも弱い剥離力で剥離可能な第３の貼着層が積層されていれば、切り離し線として、互いに並行した２つの切り離し列からなるものを用いた場合であっても、第１のシート部と第２のシート部とがその全面で貼着されていながらも、隠蔽シートが開封されるために切り離し列が破断された際、２つの切り離し列間の領域が第２のシート部から剥離しやすくなる。
【発明の効果】
【００１５】
本発明は、第１のシート部と第２のシート部とを貼着するための第１及び第２の貼着層がいずれも、切り離し線とは異なる第２のシート部に積層されているため、第１の貼着層や第２の貼着層を積層する際に、これらを構成する粘着剤が切り離し線に入り込んで、その後に切り離し線が破断しにくくなったり、本来粘着剤が存在しないはずの面に粘着剤が切り離し線を介して流れ出てしまったりすることがなくなり、それにより、切り離し線によって開封しにくくなってしまうことを回避できるとともに、第１のシート部と第２のシート部とを貼着するための貼着層を構成する粘着剤が、貼着層が積層されない面に流れ出てしまうことを回避できる。
【００１６】
また、切り離し線として、互いに並行した２つの切り離し列からなるものを用いた場合に、第２のシート部の、情報記入領域が設けられた面が内側となるように折り部を中心として折り畳まれた場合に情報記入領域に対向する面のうち、折り部を中心として折り畳まれた場合に２つの切り離し列間に対向する領域に、第１の貼着層よりも弱い剥離力で剥離可能な第３の貼着層が積層されている構成としたものにおいては、切り離し線として、互いに並行した２つの切り離し列からなるものを用いた場合であっても、第１のシート部と第２のシート部とがその全面で貼着されていながらも、隠蔽シートが開封されるために切り離し列が破断された際、２つの切り離し列間の領域を第２のシート部から剥離しやすくすることができる。
【図面の簡単な説明】
【００１７】
【図１】本発明の隠蔽シートの第１の実施の形態を示す図であり、（ａ）は表面図、（ｂ）は（ａ）に示したＡ−Ａ’断面図、（ｃ）は裏面図、（ｄ）は剥離シートを剥離した状態の裏面図である。
【図２】図１に示した隠蔽はがきが送付されるまでの使用方法を説明するための図である。
【図３】図１に示した隠蔽はがきの送付先での使用方法を説明するための図である。
【図４】本発明の隠蔽シートの第２の実施の形態を示す図であり、（ａ）は表面図、（ｂ）は（ａ）に示したＡ−Ａ’断面図、（ｃ）は裏面図、（ｄ）はジッパー部の詳細な構成を示す図、（ｅ）は剥離シートを剥離した状態の裏面図である。
【図５】図４に示した隠蔽はがきの送付先での使用方法を説明するための図である。
【図６】図４に示したジッパー部が破断していく際の作用を説明するための図である。
【図７】本発明の隠蔽シートの第３の実施の形態を示す図であり、（ａ）は表面図、（ｂ）は（ａ）に示したＡ−Ａ’断面図、（ｃ）は裏面図、（ｄ）はジッパー部の詳細な構成を示す図、（ｅ）は剥離シートを剥離した状態の裏面図である。
【図８】本発明の隠蔽シートの第４の実施の形態を示す図であり、（ａ）は表面図、（ｂ）は（ａ）に示したＡ−Ａ’断面図、（ｃ）は裏面図、（ｄ）はジッパー部の詳細な構成を示す図、（ｅ）は剥離シートを剥離した状態の裏面図である。
【発明を実施するための形態】
【００１８】
以下に、本発明の実施の形態について図面を参照して説明する。
【００１９】
（第１の実施の形態）
図１は、本発明の隠蔽シートの第１の実施の形態を示す図であり、（ａ）は表面図、（ｂ）は（ａ）に示したＡ−Ａ’断面図、（ｃ）は裏面図、（ｄ）は剥離シート３０を剥離した状態の裏面図である。
【００２０】
本形態は図１に示すように、第１のシート部であるはがき本体部１０と、第２のシート部である隠蔽片部２０とが折り部４０を介して折り畳み可能に連接し、隠蔽片部２０の一方の面に剥離シート３０が剥離可能に貼着されて構成された隠蔽はがき１である。
【００２１】
はがき本体部１０は、はがき本体部１０と隠蔽片部２０が折り部４０を中心として折り畳まれた場合に外側となる面に、この隠蔽はがき１の送付先の住所や氏名、名称等の宛先情報１１が表示されているとともに、それとは反対の面に、この隠蔽はがき１の提供先から隠蔽はがき１の送付先に伝達する申込情報を記入するための情報記入領域となる申込情報記入欄１４が設けられている。また、はがき本体部１０の折り部４０とは反対側の辺から所定の間隔を有する領域に、その辺に沿って切り離し線となるミシン線１２が形成されており、その端部に切り欠き１３が設けられている。
【００２２】
隠蔽片部２０は、はがき本体部１０と隠蔽片部２０が折り部４０を中心として折り畳まれた場合に内側となる面に、第１の貼着層となる弱粘着層５０及び第２の貼着層となる強粘着層６０が積層されている。
【００２３】
弱粘着層５０は、貼着後の剥離及び剥離後の再貼着が可能なものであって、はがき本体部１０と隠蔽片部２０が折り部４０を中心として折り畳まれた場合にミシン線１２に対向する領域と折り部４０との間の領域の全面に積層されている。
【００２４】
強粘着層６０は、貼着後の剥離が困難なものであって、はがき本体部１０と隠蔽片部２０が折り部４０を中心として折り畳まれた場合にミシン線１２に対向する領域と折り部４０とは反対側の辺との間の領域の全面に積層されている。なお、なお、貼着後の剥離が困難とは、はがき本体部１０と隠蔽片部２０とが貼着された状態からこれらを人間の手によって剥離した場合に、はがき本体部１０や隠蔽片部２０が裂かれたり厚み方向に分割されたりする程度に強接着されていることである。
【００２５】
剥離シート３０は、剥離台紙上にシリコーン系等の剥離剤が塗工されて構成され、剥離剤が塗工された面にて弱粘着層５０及び強粘着層６０によって隠蔽片部２０に貼着されている。
【００２６】
以下に、上記のように構成された隠蔽はがき１の使用方法について説明する。
【００２７】
まず、隠蔽はがき１が送付されるまでの使用方法について説明する。
【００２８】
図２は、図１に示した隠蔽はがき１が送付されるまでの使用方法を説明するための図である。
【００２９】
上記のように構成された隠蔽はがき１を用いて、申込情報記入欄１４に記入される申込情報を隠蔽はがき１の提供先から送付先に伝達する場合は、隠蔽はがき１の提供先においてまず、図２（ａ）に示すように、申込情報記入欄１４に申込情報１５が記入され、図２（ｂ）に示すように、隠蔽片部２０から剥離シート３０が剥離されていく。
【００３０】
剥離シート３０が隠蔽片部２０から完全に剥離されると、図２（ｃ）に示すように、隠蔽片部２０に積層された弱粘着層５０及び強粘着層６０が表出する。
【００３１】
そして、図２（ｄ）に示すように、はがき本体部１０と隠蔽片部２０とが、申込情報記入欄１４が設けられた面が内側となるように折り部４０を中心として折り畳まれる。
【００３２】
すると、隠蔽片部２０の折り畳み状態内側となる面には、弱粘着層５０及び強粘着層６０が積層されているため、これら弱粘着層５０及び強粘着層６０によってはがき本体部１０と隠蔽片部２０とが貼着されることになる。
【００３３】
はがき本体部１０と隠蔽片部２０とが貼着された隠蔽はがき１は図２（ｅ）に示すように、申込情報記入欄１４に記入された申込情報１５が隠蔽片部２０によって隠蔽された状態となり、はがき本体部１０に表示された宛先情報１１に従って、隠蔽はがき１の送付先に送付されることになる。
【００３４】
次に、上記のようにして送付された隠蔽はがき１の送付先での使用方法について説明する。
【００３５】
図３は、図１に示した隠蔽はがき１の送付先での使用方法を説明するための図である。
【００３６】
上記のようにして隠蔽はがき１が送付先に送付された後、隠蔽はがき１の送付先において隠蔽はがき１を開封するためには、はがき本体部１０と隠蔽片部２０とを剥離することになる。
【００３７】
はがき本体部１０には、ミシン線１２が形成されており、このミシン線１２の端部に切り欠き１３が設けられているため、図３（ａ）に示すように、この切り欠き１３が剥離開始端とされ、ミシン線１２が破断されながら、はがき本体部１０のミシン線１２と折り部４０との間の領域が隠蔽片部２０から剥離されていく。はがき本体部１０のミシン線１２と折り部４０との間の領域は、貼着後の剥離が可能な弱粘着層５０によって隠蔽片部２０に剥離可能に貼着されているため、隠蔽片部２０から剥離することができる。一方、はがき本体部１０の折り部４０とは反対側の辺とミシン線１２との間の領域は、貼着後の剥離が困難な強粘着層６０によって隠蔽片部２０に貼着されているため、隠蔽片部２０から剥離することなく貼着されたままの状態となる。
【００３８】
ミシン線１２が完全に破断されることによって、はがき本体部１０が、ミシン線１２と折り部４０との間の領域と、折り部４０とは反対側の辺とミシン線１２との間の領域とに切り離され、はがき本体部１０のミシン線１２と折り部４０との間の領域が隠蔽片部２０から完全に剥離されると、図３（ｂ）に示すように、申込情報記入欄１４が表出し、申込情報記入欄１４に記入された申込情報１５が視認可能となり、隠蔽はがき１の送付先に伝達されることになる。
【００３９】
本形態における隠蔽はがき１は上述したように使用されることになるが、はがき本体部１０のうち、ミシン線１２と折り部４０との間の領域を隠蔽片部２０に剥離可能に貼着し、また、折り部４０とは反対側の辺とミシン線１２との間の領域を隠蔽片部２０に剥離困難に貼着するための弱粘着層５０及び強粘着層６０がいずれも、ミシン線１２とは異なる隠蔽片部２０に積層されているので、弱粘着層５０や強粘着層６０を構成する粘着剤がミシン線１２のカット部に入り込んで、その後、上述したようにミシン線１２を破断する際にミシン線１２が破断しにくくなってしまうことが回避され、それにより、隠蔽はがき１が開封しにくくなってしまうことを回避できる。また、はがき本体部１０と隠蔽片部２０のそれぞれの折り畳み状態外側となる面は、本来粘着剤が存在しないはずの面であるが、その面に粘着剤がミシン線１２を介して流れ出てしまい、隠蔽はがき１の送付途中等において隠蔽はがき１の表面がべたついて、取り扱いに支障が生じてしまうことが回避される。
【００４０】
（第２の実施の形態）
図４は、本発明の隠蔽シートの第２の実施の形態を示す図であり、（ａ）は表面図、（ｂ）は（ａ）に示したＡ−Ａ’断面図、（ｃ）は裏面図、（ｄ）はジッパー部１１２の詳細な構成を示す図、（ｅ）は剥離シート１３０を剥離した状態の裏面図である。
【００４１】
本形態は図４に示すように、図１に示したものに対して、切り離し線としてミシン線１２の代わりにジッパー部１１２が設けられており、またそれにより、切り欠き１３が設けられていない点が異なるものである。
【００４２】
ジッパー部１１２は、所定の間隔を介して互いに並行した２つの切り離し列１１２ａ，１１２ｂからなり、切り離し列１１２ａ，１１２ｂのそれぞれは、複数の切り込み１１８ａ，１１８ｂが、切り離し列１１２ａ，１１２ｂが延びる方向に並んで構成されている。複数の切り込み１１８ａ，１１８ｂのそれぞれは、複数の切り込み１１８ａ，１１８ｂの並び方向に延びた辺部１１６ａ，１１６ｂと、一端がこの辺部１１６ａ，１１６ｂに繋がり、その一端から切り離し列１１２ａ，１１２ｂ間の領域側に鈍角を有して斜めに延びた辺部１１７ａ，１１７ｂとから構成されている。
【００４３】
また、隠蔽片部１２０の剥離シート１３０との貼着面のうち、はがき本体部１０と隠蔽片部１２０とが折り部１４０を中心として折り畳まれた場合に切り離し列１１２ａ，１１２ｂ間に対向する領域には、弱貼着層１５０及び強貼着層１６０のいずれも積層されていない。これにより、本形態の隠蔽片部１２０においては、はがき本体部１１０と隠蔽片部１２０が折り部１４０を中心として折り畳まれた場合にジッパー部１１２の切り離し列１１２ｂに対向する領域と折り部１４０との間の領域の全面に弱粘着層１５０が積層され、はがき本体部１１０と隠蔽片部１２０が折り部１４０を中心として折り畳まれた場合にジッパー部１１２の切り離し列１１２ａに対向する領域と折り部１４０とは反対側の辺との間の領域の全面に強粘着層１６０が積層されていることになる。
【００４４】
以下に、上記のように構成された隠蔽はがき１０１の使用方法について説明する。
【００４５】
上記のように構成された隠蔽はがき１０１においても、送付されるまでは、図１に示したものと同様に使用される。
【００４６】
すなわち、申込情報記入欄１１４に申込情報が記入された後、隠蔽片部１２０から剥離シート１３０が剥離され、表出した弱粘着層１５０及び強粘着層１６０によってはがき本体部１１０と隠蔽片部１２０とが貼着され、申込情報記入欄１１４に記入された申込情報が隠蔽片部１２０によって隠蔽された状態で、はがき本体部１１０に表示された宛先情報１１１に従って、隠蔽はがき１０１の送付先に送付されることになる。
【００４７】
次に、上記のようにして送付された隠蔽はがき１０１の送付先での使用方法について説明する。
【００４８】
図５は、図４に示した隠蔽はがき１０１の送付先での使用方法を説明するための図である。
【００４９】
上記のようにして隠蔽はがき１０１が送付先に送付された後、隠蔽はがき１０１の送付先において、隠蔽はがき１０１を開封するためにはがき本体部１１０と隠蔽片部１２０とが剥離される。
【００５０】
図４に示した隠蔽はがき１０１においては、はがき本体部１１０と隠蔽片部１２０とを剥離するためには、まず、図５（ａ）に示すように、ジッパー部１１２の切り離し列１１２ａ，１１２ｂ間の領域がその一端から引き上げられ、他端側に引っ張られていく。ジッパー部１１２の切り離し列１１２ａ，１１２ｂ間の領域は、隠蔽片部１２０に貼着されていないため、容易に引き上げて引っ張ることができ、この領域が引っ張られることによってジッパー部１１２が破断していく。
【００５１】
図６は、図４に示したジッパー部１１２が破断していく際の作用を説明するための図である。
【００５２】
ジッパー部１１２の切り離し列１１２ａ，１１２ｂ間の領域が、辺部１１７ａ，１１７ｂ側から引き上げられていくと、ジッパー部１１２の破断領域が、辺部１１７ａ，１１７ｂ及び辺部１１６ａ，１１６ｂを介して、辺部１１６ａ，１１６ｂの辺部１１７ａ，１１７ｂとは反対側の端部に達する。
【００５３】
この辺部１１６ａ，１１６ｂの端部においては、ジッパー部１１２の切り離し列１１２ａ，１１２ｂ間の領域が辺部１１６ａ，１１６ｂ側に引っ張られた場合、図６（ａ）に示すように、ジッパー部１１２が破断する力が、切り離し列１１２ａ，１１２ｂ間の領域側に向くように作用する。そのため、ジッパー部１１２の切り離し列１１２ａ，１１２ｂ間の領域が辺部１１６ａ，１１６ｂ側にさらに引っ張られていくと、切り離し列１１２ａ，１１２ｂのそれぞれについての複数の切り込み１１８ａ，１１８ｂ間においては、複数の切り込み１１８ａ，１１８ｂの並び方向に対して、切り離し列１１２ａ，１１２ｂ間の領域側の方向にはがき本体部１１０が破断していく。ところが、この破断方向には、隣接する切り込み１１８ａ，１１８ｂの辺部１１７ａ，１１７ｂが存在するため、図６（ｂ）に示すように、辺部１１６ａ，１１６ｂからの破断部１１９ａ，１１９ｂがこの辺部１１７ａ，１１７ｂと繋がり、ジッパー部１１２が破断していく。
【００５４】
このようにしてジッパー部１１２が完全に破断されると、図５（ｂ）に示すように、切り離し列１１２ａ，１１２ｂ間の領域がはがき本体部１１０から分離し、はがき本体部１１０がジッパー部１１２を介した２つの領域に切り離され、ジッパー部１１２が分離した領域に隠蔽片部１２０の一部が表出する。
【００５５】
隠蔽片部１２０が表出した領域は、はがき本体部１１０に対して段差を有しているため、この段差に指等を引っ掛けて、図５（ｃ）に示すように、はがき本体部１１０のジッパー部１１２と折り部１４０との間の領域が隠蔽片部１２０から剥離されていく。はがき本体部１１０の切り離し列１１２ｂと折り部１４０との間の領域は、貼着後の剥離が可能な弱粘着層１５０によって隠蔽片部１２０に剥離可能に貼着されているため、隠蔽片部１２０から剥離することができる。一方、はがき本体部１１０の折り部１４０とは反対側の辺と切り離し列１１２ａとの間の領域は、貼着後の剥離が困難な強粘着層１６０によって隠蔽片部１２０に貼着されているため、隠蔽片部１２０から剥離することなく貼着されたままの状態となる。
【００５６】
はがき本体部１１０の切り離し列１１２ｂと折り部１４０との間の領域が隠蔽片部１２０から完全に剥離されると、図５（ｄ）に示すように、申込情報記入欄１１４が表出し、申込情報記入欄１１４に記入された申込情報１１５が視認可能となり、隠蔽はがき１０１の送付先に伝達されることになる。
【００５７】
本形態における隠蔽はがき１０１は上述したように使用されることになるが、はがき本体部１１０のうち、切り離し列１１２ｂと折り部１４０との間の領域を隠蔽片部１２０に剥離可能に貼着し、また、折り部１４０とは反対側の辺と切り離し列１１２ａとの間の領域を隠蔽片部１２０に剥離困難に貼着するための弱粘着層１５０及び強粘着層１６０がいずれも、ジッパー部１１２とは異なる隠蔽片部１２０に積層されているので、弱粘着層１５０や強粘着層１６０を構成する粘着剤がジッパー部１１２の辺部１１６ａ，１１６ｂ，１１７ａ，１１７ｂに入り込んで、その後、上述したようにジッパー部１１２を破断する際にジッパー部１１２が破断しにくくなってしまうことが回避され、それにより、隠蔽はがき１０１が開封しにくくなってしまうことを回避できる。また、はがき本体部１１０と隠蔽片部１２０のそれぞれの折り畳み状態外側となる面は、本来粘着剤が存在しないはずの面であるが、その面に粘着剤がジッパー部１１２の辺部１１６ａ，１１６ｂ，１１７ａ，１１７ｂを介して流れ出てしまい、隠蔽はがき１０１の送付途中等において隠蔽はがき１の表面がべたついて、取り扱いに支障が生じてしまうことが回避される。
【００５８】
（第３の実施の形態）
図７は、本発明の隠蔽シートの第３の実施の形態を示す図であり、（ａ）は表面図、（ｂ）は（ａ）に示したＡ−Ａ’断面図、（ｃ）は裏面図、（ｄ）はジッパー部２１２の詳細な構成を示す図、（ｅ）は剥離シート２３０を剥離した状態の裏面図である。
【００５９】
本形態は図７に示すように、図４に示したものに対して、隠蔽片部２２０の剥離シート２３０との貼着面のうち、はがき本体部２１０と隠蔽片部２２０とを折り部２４０を中心として折り畳んだ場合に２つの切り離し列２１２ａ，２１２ｂ間に対向する領域にも弱粘着層２５０が積層されている点が異なるものである。
【００６０】
上記のように構成された隠蔽はがき２０１においても、図４に示したものと同様に使用される。この際、はがき本体部２１０と隠蔽片部２２０とが貼着された状態においては、はがき本体部２１０の切り離し列２１２ａ，２１２ｂ間の領域も隠蔽片部２２０に弱粘着層２５０によって剥離可能に貼着されるため、はがき本体部２１０と隠蔽片部２２０とがこの領域から不用意に剥離してしまうことが回避される。
【００６１】
（第４の実施の形態）
図８は、本発明の隠蔽シートの第４の実施の形態を示す図であり、（ａ）は表面図、（ｂ）は（ａ）に示したＡ−Ａ’断面図、（ｃ）は裏面図、（ｄ）はジッパー部３１２の詳細な構成を示す図、（ｅ）は剥離シート３３０を剥離した状態の裏面図である。
【００６２】
本形態は図８に示すように、図４に示したものに対して、隠蔽片部３２０の剥離シート３３０との貼着面のうち、はがき本体部３１０と隠蔽片部３２０とを折り部３４０を中心として折り畳んだ場合に２つの切り離し列３１２ａ，３１２ｂ間に対向する領域に、弱粘着層３５０よりも弱い剥離力で剥離可能な第３の貼着層となる弱粘着層３７０が積層されている点が異なるものである。この弱粘着層３７０は、例えば、弱粘着層３５０と同一の粘着剤を、例えばドット状に部分塗工することで、貼着力を弱めることが考えられる。
【００６３】
上記のように構成された隠蔽はがき３０１においても、図４に示したものと同様に使用される。この際、はがき本体部３１０と隠蔽片部３２０とが貼着された状態においては、はがき本体部３１０の切り離し列３１２ａ，３１２ｂ間の領域が弱粘着層３７０によって隠蔽片部３２０に剥離可能に貼着されるため、はがき本体部３１０と隠蔽片部３２０とがこの領域から不用意に剥離してしまうことが回避される。さらに、この弱粘着層３７０が、弱粘着層３５０よりも弱い剥離力で剥離可能なものであるため、隠蔽はがき３０１を開封するためにジッパー部３１２が破断される際、はがき本体部３１０の切り離し列３１２ａ，３１２ｂ間の領域が隠蔽片部３２０から剥離しやすくなる。
【００６４】
なお、上述した実施の形態においては、隠蔽シートして隠蔽はがき１，１０１，２０１，３０１を例に挙げて説明したが、例えば、折り畳んだ状態がＡ４サイズとなるパンフレット形状のものであってもよく、上記のような方法で使用されるものであれば本発明を適用することができる。
【符号の説明】
【００６５】
１，１０１，２０１，３０１    隠蔽はがき
１０，１１０，２１０，３１０    はがき本体部
１１，１１１，２１１，３１１    宛先情報
１２    ミシン線
１３    切り欠き
１４，１１４，２１４，３１４    申込情報記入欄
１５，１１５    申込情報
２０，１２０，２２０，３２０    隠蔽片部
３０，１３０，２３０，３３０    剥離シート
４０，１４０，２４０，３４０    折り部
５０，１５０，２５０，３５０，３７０    弱粘着層
６０，１６０，２６０，３６０    強粘着層
１１２，２１２，３１２    ジッパー部
１１２ａ，１１２ｂ，２１２ａ，２１２ｂ，３１２ａ，３１２ｂ    切り離し列
１１６ａ，１１６ｂ，１１７ａ，１１７ｂ，２１６ａ，２１６ｂ，２１７ａ，２１７ｂ，３１６ａ，３１６ｂ，３１７ａ，３１７ｂ    辺部
１１８ａ，１１８ｂ，２１８ａ，２１８ｂ，３１８ａ，３１８ｂ    切り込み
１１９ａ，１１９ｂ    破断部
【図１】
2015116765.tif 000003
【図２】
2015116765.tif 000004
【図３】
2015116765.tif 000005
【図４】
2015116765.tif 000006
【図５】
2015116765.tif 000007
【図６】
2015116765.tif 000008
【図７】
2015116765.tif 000009
【図８】
2015116765.tif 000010